(57)【要約】      （修正有）【課題】汎用の不織布研磨タワシが簡単に着脱可能な不織布研磨タワシ用ハンドルを提供する。【解決手段】不織布研磨タワシ用ハンドル１を、基台１０の第１の側面に下方に向けて垂設された第１の保持壁２０と、基台の第２の側面に下方に向けて垂設された第２の保持壁３０と、基台の上面に設けられた取っ手４０とを備え、第１の保持壁は、内側に向かって複数の主爪５０を有し、第２の保持壁は、内側に向かって複数の補助爪６０を有し、補助爪の全長が主爪の全長よりも短い構成とする。【選択図】図１
0003221267.tif 000002
【実用新案登録請求の範囲】
【請求項１】
直方体の形状を有する不織布研磨タワシを脱着自在に装着し、前記不織布研磨タワシを被研磨物に押圧して被研磨物を研磨する不織布研磨タワシ用ハンドルであって、
基台と、
前記基台の第１の側面に下方に向けて垂設された第１の保持壁と、
前記基台の第２の側面に下方に向けて垂設された第２の保持壁と、
前記基台の上面に設けられた取っ手と、
を備え、
前記第１の保持壁は、内側に向かって複数の主爪を有し、
前記第２の保持壁は、内側に向かって複数の補助爪を有し、
前記補助爪の全長が前記主爪の全長よりも短いことを特徴とする不織布研磨タワシ用ハンドル。
【請求項２】
前記取っ手が、逆Ｕ字状の取っ手主部と前記取っ手主部の中間に、
前記取っ手主部が貫通する態様で設けられた板状の握り部から構成されることを特徴とする請求項１に記載の不織布研磨タワシ用ハンドル。
【請求項３】
前記主爪が、四角柱の先端に設けられた円錐の形状であり、
前記補助爪が円錐の形状であることを特徴とする請求項１又は２に記載の不織布研磨タワシ用ハンドル。
【請求項４】
前記第１の保持壁及び前記第２の保持壁が前記基台側を底辺とする台形の形状を有することを特徴とする請求項１〜３のいずれか１項に記載の不織布研磨タワシ用ハンドル。
【考案の詳細な説明】
【技術分野】
【０００１】
本考案は、不織布研磨タワシを装着して使用するための不織布研磨タワシ用ハンドルに関するものである。
【背景技術】
【０００２】
研磨に使用されている不織布研磨タワシは、研磨タワシ自体の剛性が小さいために従来から人が手に持って研磨作業をしていた。しかし人が直接不織布研磨タワシを手に持って作業するためには、研磨作業中は継続して不織布研磨タワシの研磨面が確実に被研磨物に接触するように保持する必要があった。
【０００３】
そこで不織布研磨タワシを脱着できるように装着するための不織布研磨タワシ用ハンドルが考案されている。
その一例として実用新案登録第３０９９０７２号広報（以下「特許文献１」という。）に、爪を具備した保持具本体と押さえ金具によって不織布研磨タワシを左右側面から挟み込み、爪を食い込ませることによって固定し、不織布を交換する際には、爪を具備した押さえ金具が回転軸を中心に回転し開閉することによって簡単に不織布研磨タワシを脱着交換することができる保持具が開示されている。
また、特開２００３−３９３３６号広報（以下「特許文献２」という。）に、左右両側に引っ掛け穴を設けた不織布研磨タワシの両側縁を固定台の両側縁に沿って上面に折り返して、固定台の上面両側に具備された引っ掛け突起にその引っ掛け穴を引っ掛け脱着できるようにした保持具が開示されている。
【先行技術文献】
【特許文献】
【０００４】
【特許文献１】実用新案登録第３０９９０７２号公報
【特許文献２】特開２００３−３９３３６号広報
【考案の概要】
【考案が解決しようとする課題】
【０００５】
しかしながら、特許文献１に開示されている考案は、不織布研磨タワシを交換する際に、押さえ金具を回転軸を中心に回転し開閉させる構造であるため、構造が複雑になるという欠点があった。
また、特許文献２に開示されている発明は、不織布研磨タワシの左右両側にいくつかの引っ掛け穴を設けなければならず、不織布研磨タワシの製造工程が増え、汎用の不織布研磨タワシをそのまま使用することができないという欠点があった。
【０００６】
そこで本考案は上記の問題点を解決することを課題としており、汎用の不織布研磨タワシが簡単に着脱可能な不織布研磨タワシ用ハンドルを提供することを目的としている。
【課題を解決するための手段】
【０００７】
上記目的を達成するために本考案は、不織布研磨タワシ用ハンドルの不織布研磨タワシ保持部の左右側壁の一面に主爪を他面に補助爪を設けたことを主な特徴とする。
【０００８】
すなわち、第１の本考案の不織布研磨タワシ用ハンドルは、直方体の形状を有する不織布研磨タワシを脱着自在に装着し、不織布研磨タワシを被研磨物に押圧して被研磨物を研磨する不織布研磨タワシ用ハンドルであって、基台と、基台の第１の側面に下方に向けて垂設された第１の保持壁と、基台の第２の側面に下方に向けて垂設された第２の保持壁と、基台の上面に設けられた取っ手と、を備え、第１の保持壁は、内側に向かって複数の主爪を有し、第２の保持壁は、内側に向かって複数の補助爪を有し、補助爪の全長が主爪の全長よりも短いことを特徴とする。
【０００９】
第１の本考案は、第１の保持壁に複数の主爪を有し、第２の保持壁に補助爪を有する構成であるから、不織布研磨タワシを少し折り曲げて先ず主爪に差し込み、続いて補助爪に差し込むことで簡単に、不織布研磨タワシを不織布研磨タワシ用ハンドルに装着することができる。補助爪が主爪よりも短いことで、不織布研磨タワシを装着する際に折り曲げ角度が小さくて済み、また主爪によって不織布研磨タワシがしっかりと保持される。
【００１０】
さらに、第２の本考案の不織布研磨タワシ用ハンドルは、第１の考案における取っ手が、逆Ｕ字状の取っ手主部と取っ手主部の中間に、取っ手主部が貫通する態様で設けられた板状の握り部から構成されることを特徴とする。
【００１１】
取っ手に板状の握り部があることで、手で握り部を包み込むようにすることで、取っ手主部を大きくすることなく、不織布研磨タワシ用ハンドルをしっかりと保持することができる。さらに、この構造により材料費の削減が可能となる。
なお、板状の握り部の形状は、角が丸められた略長方形または小判形が好ましい。握るときの手のひらと指との関係に適するからである。
【００１２】
さらに第３の本考案の不織布研磨タワシ用ハンドルは、第１又は第２の考案において、主爪が、四角柱の先端に設けられた円錐の形状であり、補助爪が円錐の形状であることを特徴とする。
【００１３】
不織布研磨タワシを不織布研磨タワシ用ハンドルに装着する際に、主爪の先端の形状が円錐形であることで、最初に装着し易く、さらに不織布研磨タワシを押し込むことで、四角柱の根本部分がしっかりと不織布研磨タワシを保持することになる。そして、補助爪の形状が円錐形であることで、不織布研磨タワシの他面の差し込みが容易になる。
【００１４】
さらに、第４の本考案の不織布研磨タワシ用ハンドルは、第１〜第３のいずれかの考案において、第１の保持壁及び第２の保持壁が基台側を底辺とする台形の形状を有することを特徴とする。
【００１５】
研磨に際して、不織布研磨タワシ用ハンドルの進行方向側の不織布研磨タワシの先端下部は少し圧縮されることになる。このとき不織布研磨タワシの厚みが小さいと、第１及び第２の保持壁の進行方向側の保持壁が被研磨物に接触する可能性がある。
第４の本考案の不織布研磨タワシ用ハンドルは、保持壁が基台側を底辺とする台形の形状を有することから、不織布研磨タワシの厚みが小さい場合でも、第１及び第２の保持壁の進行方向側の保持壁が被研磨物に接触することはない。
【考案の効果】
【００１６】
本考案の不織布研磨タワシ用ハンドルは、汎用の不織布研磨タワシが簡単に着脱可能である。そして第２の本考案の不織布研磨タワシ用ハンドルは、不織布研磨タワシ用ハンドルをしっかりと保持することができる。さらに、取っ手部の構造により材料費の削減が可能となる。そして、第３の本考案の不織布研磨タワシ用ハンドルは、しっかりと不織布研磨タワシを保持することができ、また補助爪の形状が円錐形であることで、不織布研磨タワシの他面の差し込みが容易になる。そして、第４の本考案の不織布研磨タワシ用ハンドルは、不織布研磨タワシの厚みが小さい場合でも、第１及び第２の保持壁の進行方向側の保持壁が被研磨物に接触することはない。
【図面の簡単な説明】
【００１７】
【図１】本考案の実施例を示す斜視図である。
【図２】本考案の実施例を示す底面図である。
【図３】本考案の実施例を示す斜視図である。
【図４】本考案の実施例の使用状態を示す正面図である。
【図５】本考案の実施例の不織布研磨タワシ脱着時の状態を示す斜視図である。
【考案を実施するための形態】
【００１８】
本考案は、汎用の不織布研磨タワシが簡単に着脱可能な不織布研磨タワシ用ハンドルを提供するという目的を、不織布研磨タワシ保持部の左右側壁の一面に主爪を他面に補助爪を設けた構造で実現した。以下に本考案の好ましい実施の形態について図を用いて説明する。
【実施例】
【００１９】
図１は、本考案の実施例を示す斜視図、図２は同底面図である。
図１、図２に示すように基台１０から下方に向けて垂設された第１の保持壁２０と第２の保持壁３０に夫々主爪５０と補助爪６０とが対向して複数設けられている。  
主爪５０は四角柱の先端が円錐形に形成された形状であり、補助爪６０は円垂形の形状である。そして、補助爪６０の全長は主爪５０の全長よりも短い。
補助爪６０が主爪５０よりも短いことで、後述するように不織布研磨タワシの保持力を低下させることなく、脱着が容易になる。
【００２０】
そして、第１の保持壁２０と第２の保持壁３０の形状は、基台１０側を底辺とする台形の形状である。不織布研磨タワシ用ハンドル１に不織布研磨タワシを装着して使用する際に、進行方向の不織布研磨タワシが圧縮されても保持壁が被研磨物に接触しないようにするためである。
【００２１】
図３は、本考案の実施例を示す斜視図である。
基台１０の側面に下方に向けて第１の保持壁２０と第２の保持壁（図示省略）が垂設されている。そして、基台１０の上面には取っ手４０が設けられている。取っ手４０は、基台１０に立設された逆Ｕ字状の取っ手主部４２と取っ手主部４２の中間に取っ手主部４０が貫通する態様で板状の握り部４４が設けられている。この構造とすることで、材料の体積を低減しながら、持ち易い取っ手にすることが可能となっている。なお、取っ手主部４２と握り部４４は共に角部が丸く面取りされている。
【００２２】
次に図４と図５を用いて、不織布研磨タワシを装着した使用時の形態について説明する。
図４は、本考案の実施例の使用状態を示す正面図、図５は本考案の実施例の不織布研磨タワシ脱着時の状態を示す斜視図である
不織布研磨タワシ７０を不織布研磨タワシ用ハンドル1に装着する際には、先ず不織布研磨タワシ７０の一側面を主爪５０に押し込んで固定し、その後不織布研磨タワシ７０を少し湾曲させながら、もう一方の側面を補助爪（図示省略）に押し込むようにする。
補助爪は、主爪５０に比べて長さが短いため、この最後の押し込む作業が容易にできる。
【００２３】
不織布研磨タワシ７０を不織布研磨タワシ用ハンドル1から取り外す際は、装着する動作とは逆になり、先ず不織布研磨タワシ７０を湾曲させながら補助爪から外し、続いて主爪５０から外すことになる。
主爪５０を補助爪と同じ長さにすると、不織布研磨タワシ７０の脱着は容易になるが、使用時における不織布研磨タワシ７０の保持力が低下する。
【符号の説明】
【００２４】
１      不織布研磨タワシ用ハンドル
１０    基台
２０    第１の保持壁
３０    第２の保持壁
４０    取っ手
４２    取っ手主部
４４    握り部
５０    主爪
６０    補助爪
７０    不織布研磨タワシ
【図１】
0003221267.tif 000003
【図２】
0003221267.tif 000004
【図３】
0003221267.tif 000005
【図４】
0003221267.tif 000006
【図５】
0003221267.tif 000007